(57)【特許請求の範囲】
【請求項１】
縦枠、上枠、中間枠、及び下枠を有して成り、昇降路内を昇降する主枠と、この主枠の内側に配置され、一対の上かごガイドレールに沿って上下動可能な上かごと、この上かごに取り付けられる上かごプーリと、前記主枠の内側で前記上かごの下方に配置され、一対の下かごガイドレールに沿って上下動可能な下かごと、この下かごに取り付けられる下かごプーリと、前記主枠に取り付けられるとともに、かご位置調整用駆動シーブを有し、前記上かご及び前記下かごを上下動させることにより両者の間隔を変化させるかご位置調整用駆動装置と、前記かご位置調整用駆動シーブ、前記上かごプーリ、及び前記下かごプーリに巻き掛けられ、前記上かご及び前記下かごを前記主枠に対して吊り下げるかご位置調整ロープとを備えたダブルデッキエレベーターにおいて、
前記上枠の上部に、前記かご位置調整用駆動装置を配置するとともに、
前記かご位置調整用駆動装置は、前記縦枠の一部を延長してこの延長部に固定、または、前記上枠に取り付けフレームを設けてこの取り付けフレームに固定したことを特徴とするダブルデッキエレベーター。
【請求項２】
前記かご位置調整ロープは、対向する前記上枠の内側に位置することを特徴とした請求項１記載のダブルデッキエレベーター。
【請求項３】
前記かご位置調整ロープは、対向する前記上枠の外側に位置することを特徴とした請求項１記載のダブルデッキエレベーター。
【発明の詳細な説明】
【技術分野】
【０００１】
本発明は、主枠内に上下２つのかごを有するダブルデッキエレベーターに関する。
【背景技術】
【０００２】
従来、主枠内の上下２つのかごを移動可能としたダブルデッキエレベーターにあっては、上枠の下部に、かご位置調整用駆動装置を設置するとともに、このかご位置調整用駆動装置のかご位置調整用駆動シーブに、上かご及び下かごに連結されるかご位置調整用ロープを巻き掛け、かご位置調整用駆動装置を運転することにより、かご位置調整用駆動シーブ及びかご位置調整用ロープを介して、上かご及び下かごを上下動させて両者の間隔を変化させるようにしたものが提案されている（例えば、特許文献１参照）。
【先行技術文献】
【特許文献】
【０００３】
【特許文献１】特開２００７−３３１８７１（段落番号０００８〜００１５、図１）
【発明の概要】
【発明が解決しようとする課題】
【０００４】
しかしながら、前述した従来のダブルデッキエレベーターでは、かご位置調整用駆動装置が、上枠の下部にぶら下げた状態で固定される構造となっている。このため、かご位置調整用駆動装置の重量、上かごの重量、下かごの重量、及び乗客の乗り降りによる変動する乗客の重量は、かご位置調整用駆動装置と上枠とを固定する固定ボルトに作用する。すなわち、かご位置調整用駆動装置の固定部には、変動する大きな引張力が作用することから、必要な強度を確保することが難しいという問題があった。また、かご位置調整用駆動装置を据え付ける際、かご位置調整用駆動装置を吊り上げた状態で、微調整を行いつつ上枠に固定しなければならず、据え付け作業に手間と時間を要するという問題があった。さらに、上かご移動の上限位置が、かご位置調整用駆動装置の下端により制限されるため、かご位置調整用駆動装置下部の高さ位置から上枠下部の高さ位置にわたり所定の空隙を確保する必要があり、スペース効率が悪く、ひいては重量増を招くいという問題があった。
【０００５】
本発明は、前述した従来技術における実状からなされたもので、その目的は、かご位置調整用駆動装置の取り付け位置の最適化を図ることのできるダブルデッキエレベーターを提供することにある。
【課題を解決するための手段】
【０００６】
前記目的を達成するために、本発明は、縦枠、上枠、中間枠、及び下枠を有して成り、昇降路内を昇降する主枠と、この主枠の内側に配置され、一対の上かごガイドレールに沿って上下動可能な上かごと、この上かごに取り付けられる上かごプーリと、前記主枠の内側で前記上かごの下方に配置され、一対の下かごガイドレールに沿って上下動可能な下かごと、この下かごに取り付けられる下かごプーリと、前記主枠に取り付けられるとともに、かご位置調整用駆動シーブを有し、前記上かご及び前記下かごを上下動させることにより両者の間隔を変化させるかご位置調整用駆動装置と、前記かご位置調整用駆動シーブ、前記上かごプーリ、及び前記下かごプーリに巻き掛けられ、前記上かご及び前記下かごを前記主枠に対して吊り下げるかご位置調整ロープとを備えたダブルデッキエレベーターにおいて、前記上枠の上部に、前記かご位置調整用駆動装置を配置するとともに、前記かご位置調整用駆動装置は、前記縦枠の一部を延長してこの延長部に固定、または、前記上枠に取り付けフレームを設けてこの取り付けフレームに固定したことを特徴としている。
【０００７】
このように構成した発明では、上枠の上部に、かご位置調整用駆動装置を配置することで、かご位置調整用駆動装置の取り付け位置の最適化を図ることができる。また、延長された縦枠の延長部にかご位置調整用駆動装置を固定することで、簡易な構造で必要強度を確保することができる。更に、上枠に取り付けた取り付けフレームにかご位置調整用駆動装置を固定することで、かご位置調整用駆動装置の取り付け構造体を、かご位置調整用駆動装置に対して行われる保守を考慮した位置とし、保守性の向上を図ることができる。
【００１２】
また、本発明は、前記かご位置調整用ロープは、対向する前記上枠の内側に位置することを特徴としている。
【００１３】
このように構成した発明では、かご位置調整用ロープを、対向する上枠の内側に位置させることで、かご位置調整用ロープと上枠とを互いに干渉することのない位置関係とすることができる。
【００１４】
また、本発明は、前記かご位置調整用ロープは、対向する前記上枠の外側に位置することを特徴としている。
【００１５】
このように構成した発明では、かご位置調整用ロープを、対向する上枠の外側に位置させることで、かご位置調整用ロープと上枠とを互いに干渉することのない位置関係とすることができる。
【発明の効果】
【００１６】
本発明によれば、上枠の上部に、かご位置調整用駆動装置を配置することで、かご位置調整用ロープを介して下向きに作用する質量を、かご位置調整用駆動装置を介して上枠にて受け止める構造とし、これによって、かご位置調整用駆動装置の固定強度を容易に確保することができる。また、かご位置調整用駆動装置の据え付け作業は、かご位置調整用駆動装置を上枠の上方から吊るし、上枠に載置して行われることから、位置調整作業、及び固定作業を容易に行うことができる。さらに、上かご上端が上枠下端ぎりぎりまで移動することが可能となり、ダブルデッキエレベーターの省スペース化、及び全体軽量化を図ることができる。
【図面の簡単な説明】
【００１７】
【図１】本発明が適用されるダブルデッキエレベーターの全体構成図である。
【図２】本発明のダブルデッキエレベーターの第１の実施例を示すかご構成図である。
【図３】第１の実施例におけるかご位置調整用駆動装置の取り付け部を示す正面図である。
【図４】第１の実施例におけるかご位置調整用駆動装置の取り付け部を示す上面図である。
【図５】かご位置調整用駆動装置の取り付け部の第２の実施例を示す上面図である。
【図６】かご位置調整用駆動装置の取り付け部の第３の実施例を示す正面図である。
【発明を実施するための形態】
【００１８】
以下、本発明に係るダブルデッキエレベーターの実施例を図に基づき説明する。
【００１９】
第１の実施例のダブルデッキエレベーターは、図１に示すように、昇降路１内を昇降する主枠２と、一端で主枠２を吊り上げる主ロープ３と、主ロープ３の他端に吊られるつり合いおもり４と、主ロープ３を駆動する駆動装置５と、駆動装置５に隣接して配置されるそらせ車６とを有している。
【００２０】
また、図２に示すように、主枠２の内側に配置され一対の上かごガイドレール７に沿って上下動可能な上かご８と、上かご８の下部に取り付けられる２つの上かごプーリ９ａ、９ｂと、主枠２の内側で上かご８の下方に配置され、一対の下かごガイドレール１０に沿って上下動可能な下かご１１と、下かご１１の下部に取り付けられる２つの下かごプーリ１２ａ、１２ｂと、主枠２の上部に搭載され、かつかご位置調整用駆動シーブ１３ａを有し、上かご８及び下かご１１を上下動させることにより両者の間隔を変化させるかご位置調整用駆動装置１３と、かご位置調整用駆動シーブ１３ａ、上かごプーリ９ａ、９ｂ、及び下かごプーリ１２ａ、１２ｂに巻き掛けられ、上かご８及び下かご１１を主枠２に対して吊り下げるかご位置調整用ロープ１４とを備えている。なお、かご位置調整用ロープ１４は、一端が後述する上枠２ｃに弾性体１５を介して固定されるとともに、他端が、中間枠２ｄに弾性体１６を介して固定される。また、主ロープ３は、吊り板３ａを介して主枠２に連結されている。
【００２１】
主枠２は、一対の縦枠２ａ、２ｂ、縦枠２ａ、２ｂの上端に架設される上枠２ｃ、縦枠２ａ、２ｂの中間に架設される中間枠２ｄ、及び縦枠２ａ、２ｂの下端に架設される下枠２ｅから形成され、上枠２ｃと中間枠２ｄとの間に、かご位置調整用ロープ１４により垂下された上かご８が配置されるとともに、中間枠２ｄと下枠２ｅとの間に、かご位置調整用ロープ１４により垂下された下かご１１が配置される。また、中間枠２ｄ上には、上かご緩衝器１７が設けられているとともに、下枠２ｅ上には、下かご緩衝器１８が設けられている。さらに、主枠２の四隅には、昇降路１に立設されたガイドレール１９に摺接するガイド装置２０が取り付けられており、主ロープ３を介して昇降路１に垂下された主枠２が、ガイドレール１９に沿って上下に移動するようになっている。
【００２２】
かご位置調整用駆動装置１３は、図３に示すように、その下端が、防振ゴム２１ａを挟んで上枠２ｃの上部に取り付けられるとともに、その上部が、かご位置調整用駆動装置１３の高さ位置まで延長した縦枠２ａの延長部２ａ１に、ブラケット２２、及び防振ゴム２１ｂを介して取り付けられている。なお、かご位置調整用ロープ１４の張力によるトルクを最小化することを目的とし、防振ゴム２１ａと防振ゴム２１ｂとの中心連結線が、上枠２ｃに垂直、かつかご位置調整用駆動シーブ１３ａの中心を通るように設置する。
【００２３】
かご位置調整用駆動装置１３及び主枠２を上面から見たときに、対となる２本の部材により構成される上枠２ｃの内法間隔は、図４に示すように、かご位置調整用駆動シーブ１３ａの直径より大きく設定し、すなわちかご位置調整用ロープ１４を対向する上枠２ｃの内側に位置させることで、かご位置調整駆動シーブ１３ａに巻き掛けられるかご位置調整用ロープ１４と上枠２ｃとが互いに干渉することを防ぐようになっている。
【００２４】
第１の実施例によれば、上枠２ｃの上部に、かご位置調整用駆動装置１３を配置することで、かご位置調整用ロープ１４を介して下向きに作用する質量を、かご位置調整用駆動装置１３を介して上枠２ｃにて受け止める構造とし、これによって、かご位置調整用駆動装置１３の固定強度を容易に確保することができる。
【００２５】
特に、本実施形態では、２本の上枠２ｃがかご位置調整用駆動装置１３の幅方向両端下部を支えるように配置されるため、かご位置調整用駆動装置１３を安定して支持することができる。また、かご位置調整用駆動装置１３の据え付け作業を安定した状態で行うことができる。すなわちかご位置調整用駆動装置１３を上枠２ｃの上方から吊るし、かご位置調整用駆動装置１３を一旦、上枠２ｃに仮置きし、防振ゴム２１ａ、２１ｂを介して固定ボルトで締め付ければよく、これによって、かご位置調整用駆動装置１３の位置調整作業、及び固定作業を容易に行うことができる。さらに、上かご８上端が上枠２ｃ下端ぎりぎりまで移動することが可能となり、ダブルデッキエレベーターの省スペース化、及び全体軽量化を図ることができる。さらにまた、かご位置調整用駆動装置１３を防振ゴム２１ａ、２１を介して上枠２ｃに取り付けることにより、上かご８及び下かご１１に伝達するかご位置調整用駆動装置１３の回転振動の軽減を図ることができる。
【００２６】
次に、本発明のダブルデッキエレベーターの第２の実施例を図５に基づき説明する。なお、前述したものと同等のものには同一符号が付してある。
【００２７】
第２の実施例のダブルデッキエレベーターは、図５に示すように、かご位置調整用駆動装置１３及び主枠２を上面から見たときに、対となる２本の部材により構成される上枠２ｃの外法間隔を、かご位置調整用駆動シーブ１３ａの直径より小さく設定してある。すなわちかご位置調整用ロープ１４を対向する上枠２ｃの外側に位置させることで、かご位置調整駆動シーブ１３ａに巻き掛けられるかご位置調整用ロープ１４と上枠２ｃとが互いに干渉することを防ぐようになっている。
【００２８】
第２の実施例によれば、前述したものと同様の効果を得られるだけでなく、上枠２ｃの２本の部材間の間隔が小さくなることにより、主ロープ３が連結される吊り板３ａの力学条件が改善され、吊り板３ａの小型化を図ることができる。なお、本実施形態では、２本の上枠２ｃがかご位置調整用駆動装置１３の中心から幅方向両端部の長さにおける中心部及びそれより外側の下部を支えるように配置すると、かご位置調整用駆動装置１３をより安定して支持することができるので、このように配置するように設計するのがよい。
【００２９】
次いで、本発明のダブルデッキエレベーターの第３の実施例を図６に基づき説明する。なお、前述したものと同等のものには同一符号が付してある。
【００３０】
第３の実施例のダブルデッキエレベーターは、図６に示すように、上枠２ｃに取り付けフレーム２３を設け、この取り付けフレーム２３にブラケット２２を介してかご位置調整用駆動装置１３の上部を固定してある。なお、２本の上枠２ｃとかご位置調整用ロープ１４との位置関係は、前述した第１の実施例のように、かご位置調整ロープ１４が、対向する上枠２ｃの内側に位置するようにしてもよく、また、前述した第２実施例のように、対向する上枠２ｃの外側に位置するようにしてもよい。
【００３１】
第３の実施例によれば、前述したものと同様の効果を得られるだけでなく、かご位置調整用駆動シーブ１３ａの前面に遮るものがないことから、かご位置調整用駆動装置１３の保守性の向上を図ることができる。
【符号の説明】
【００３２】
１  昇降路
２  主枠
２ａ、２ｂ  縦枠
２ｃ  上枠
２ｄ  中間枠
２ｅ  下枠
３  主ロープ
３ａ  吊り板
４  つり合いおもり
５  駆動装置
６  そらせ車
７  上かごガイドレール
８  上かご
９ａ、９ｂ  上かごプーリ
１０  下かごガイドレール
１１  下かご
１２ａ、１２ｂ  下かごプーリ
１３  かご位置調整用駆動装置
１３ａ  かご位置調整用駆動シーブ
１４  かご位置調整用ロープ
１５、１６  弾性体
１７  上かご緩衝器
１８  下かご緩衝器
１９  ガイドレール
２０  ガイド装置
２１ａ、２１ｂ  防振ゴム
２２  ブラケット
２３  取り付けフレーム
【図１】
0005636193.tif 000002
【図２】
0005636193.tif 000003
【図３】
0005636193.tif 000004
【図４】
0005636193.tif 000005
【図５】
0005636193.tif 000006
【図６】
0005636193.tif 000007